(57)【要約】【課題】大きめの覗き窓を有するスコープ装置において、覗き窓のほぼ真下に位置する表示物と関連のある様々な像を観察可能とすること。【解決手段】覗き窓を形成する画像表示デバイスと、カメラユニットとを、画像表示面とカメラ前面とが背中合わせとなるように近接配置してなり、さらに前記カメラユニットで読み取られたドットコードに基づいて、前記画像表示デバイスにより形成される覗き窓の中心のほぼ真下に相当する被写体表面上の位置又はその位置の表示物を検出する真下検出部と、前記被写体表面上の各位置又はその位置の表示物のそれぞれに対応して、所定の画像を予め記憶させた画像メモリと、前記真下検出部により前記近接物体表面上のいずれかの位置又はその位置の表示物が検出されたとき、前記画像メモリに記憶された前記位置に対応する所定の画像を前記画像表示デバイスにより形成される覗き窓に表示する表示制御部とを有する。【選択図】図１
2019041995.tif 000002
【特許請求の範囲】
【請求項１】
覗き窓を形成する画像表示デバイスと、
対物光学系とイメージセンサとを含み、かつ近接する被写体表面から各位置又は各位置の表示物のそれぞれを示すドットコードを所定単位数分だけ読み取り可能なスポット状視野を有するカメラユニットとを、画像表示面とカメラ前面とが背中合わせとなるように近接配置してなり、さらに
前記カメラユニットで読み取られたドットコードに基づいて、前記画像表示デバイスにより形成される覗き窓の中心のほぼ真下に相当する前記被写体表面上の位置又はその位置の表示物を検出する真下検出部と、
前記被写体表面上の各位置又は各位置の表示物のそれぞれに対応して、所定の画像を予め記憶させた画像メモリと、
前記真下検出部により前記近接物体表面上のいずれかの位置又はその位置の表示物が検出されたとき、前記画像メモリに記憶された前記位置又はその位置の表示物に対応する所定の画像を前記画像表示デバイスにより形成される覗き窓に表示する表示制御部とを有する、スコープ装置。
【請求項２】
前記画像表示デバイスは非透過型であって、前記カメラのスポット状視野の中心と前記画像表示デバイスにより形成される覗き窓の中心とはほぼ整合するように位置決めされており、
前記真下検出部は、前記カメラユニットで読み取られたドットコードに基づいて、前記スポット状視野の中心に相当する位置又はその位置の表示物を、前記画像表示デバイスにより形成される覗き窓の中心のほぼ真下に相当する位置又はその位置の表示物として検出する、請求項１に記載のスコープ装置。
【請求項３】
前記画像表示デバイスは透過型であって、前記カメラのスポット状視野の中心と前記画像表示デバイスにより形成される覗き窓の中心とは所定の偏奇量だけ偏奇した状態に位置決めされており、
前記位置判定部は、前記イメージセンサで読み取られたドットコードに基づいて、前記スポット状視野の中心から前記偏奇量だけ戻した位置又はその位置の表示物を、前記画像表示デバイスにより形成される覗き窓の中心のほぼ真下に相当する位置又はその位置の表示物として検出する、請求項１に記載のスコープ装置。
【請求項４】
前記画像メモリには、前記近接物体表面上の各位置又はその位置の表示物のそれぞれに対応して、相異なる複数の画像が前記所定の画像として記憶されており、さらに
画像選択指令を生成する操作部と、
前記複数の画像のうちで、前記画像選択指令により特定される１つを、前記画像表示デバイスにより形成される覗き窓に表示されるべき画像として選択する画像選択部と、を有する請求項１に記載のスコープ装置。
【請求項５】
前記画像メモリには、前記近接物体表面上の各位置又はその位置の表示物のそれぞれに対応して、２以上の階層のそれぞれ毎に、相異なる複数の画像が前記所定の画像として記憶されており、さらに
階層選択指令を生成する第１の操作部と、
画像選択指令を生成する第２の操作部と、
前記２以上の階層のそれぞれ毎に記憶された相異なる複数の画像のうちで、前記階層選択指令及び前記画像選択指令により特定される１つを、前記画像表示デバイスにより形成される覗き窓に表示されるべき画像として選択する画像選択部と、を有する請求項１に記載のスコープ装置。
【請求項６】
前記２以上の階層のそれぞれ毎に記憶された相異なる複数の画像が、第１の階層の複数の画像と第２の階層の複数の画像とを少なくとも含み、
前記第１の階層の複数の画像が、特定の対象物に関してサイズが拡大又は縮小しつつ変化する様子を示す複数の画像であり、
前記第２の階層の複数の画像が、特定の対象物に関して時間経過と共に変化する様子を示す複数の画像である、請求項５に記載のスコープ装置。
【請求項７】
前記スポット状視野内における前記被写体の移動態様が、予め決められた特定の移動態様を示すときには、所定の画像編集指令を生成する画像編集指令生成部をさらに有する、請求項５に記載のスコープ装置。
【請求項８】
前記特定の移動態様が、所定の周期範囲における横振れ移動態様である、請求項６に記載のスコープ装置。
【請求項９】
底面中央には前記カメラの撮影用窓が開口しかつ上部には前記覗き窓を形成する画像表示デバイスが支持される台座状支持部材と、
前記台座状支持部材上にあって、前記台座状支持部材の垂直軸線の周りに回転可能かつ所定ストロークで上向き付勢されつつ上下動可能に支持されると共に、その周囲にはベゼルが一体化され、さらに、上部には前記画像表示デバイスを保護する透明な表示カバーを兼ねる押しボタン部が、下部にはそのスポット状視野を前記撮影用窓に整合させるようにして前記カメラが支持された可動支持部材とを有し、
前記押しボタン部が、その押し下げ操作に応答して前記階層選択指令を生成する第１の操作部に相当し、かつ
前記ベゼルが、その回転操作に応答して、前記画像選択指令を生成する第２の操作部に相当する、請求項５又は７に記載のスコープ装置。
【請求項１０】
請求項９に記載のスコープ装置と、
その表面には、提供対象となる情報に対応する表示物に加えて、各位置又はその位置の表示物に対応するドットコードが描かれた情報提供シートとを包含し、
前記画像メモリには、
前記第１の階層に相当する複数の画像と、
前記第２の階層に相当する複数の画像とが、
前記各表示物に対応して記憶されている、情報提供システム。
【請求項１１】
請求項９に記載のスコープ装置と、
その表面には、世界地図情報に加えて、各位置又はその位置の表示物に対応するドットコードが描かれた地図球体を有する地球儀と、
前記地球儀の地図球体の全周面に沿って、前記スコープ装置が前記地図球体との近接状態を維持しながら、相対移動することを可能とする走査ガイド機構とを包含し、
前記画像メモリには、
前記第１の階層に相当する複数の画像と、
前記第２の階層に相当する複数の画像とが、
前記地図球体の各位置に対応して記憶されている、情報提供システム。
【請求項１２】
前記第１の階層に相当する複数の画像が、各地点を宇宙からズームアップ又はズームダウンしながら眺めたとき、拡大又は縮小しつつ変化する様子を示す複数の画像である、請求項１１に記載の情報提供システム。
【請求項１３】
前記第２の階層に相当する複数の画像が、各地点を宇宙から眺めたとき、少なくとも、昼間と夜間とで変化する様子を示す複数の画像である、請求項１１に記載の情報システム。
【請求項１４】
前記第２の階層に相当する複数の画像が、各地点を宇宙から眺めたとき、少なくとも、現代と古代とでは生活が異なることを示す複数の画像である、請求項１１に記載の情報提供システム。
【請求項１５】
請求項１〜９のいずれかに記載のスコープ装置と、
ペーパークラフト完成品を構成する１又は２以上の部品片を切り抜き可能に配置してなり、かつ各部品片のそれぞれには、各部品に対応するドットコードが描かれた部品表示シートと、を包含し、
前記画像メモリには、
完成品の内部を各部品位置からズームアップ又はズームダウンしながら覗いたとき、拡大又は縮小しつつ変化する実内部構造に相当する複数の画像が記憶されている、情報提供システム。
【請求項１６】
請求項１５に記載の情報提供システムに使用される前記部品表示シート。
【請求項１７】
前記ベゼルの回転や回転量は、前記ベゼルと前記カメラユニットとを一体的に回転さる一方、それに伴う撮影画像の回転や回転量をソフトウェア的に検知することにより判定される、請求項９に記載のスコープ装置。
【発明の詳細な説明】
【技術分野】
【０００１】
この発明は、例えば、手持ち型や置き型のルーペや拡大鏡と同様に、大きめの覗き窓を介してその下に近接する物体表面（例えば、紙面）の表示物（文字や図形等）に関する情報を観察するスコープ装置に関する。
【背景技術】
【０００２】
大きめの覗き窓を介してその下に近接する物体表面（例えば、紙面）の表示物（文字や図形等）に関する情報を観察するスコープ装置としては、例えば、ルーペや拡大鏡（虫眼鏡）が知られている。
【０００３】
この種のスコープ装置において観察されるものは、表示物（文字や図形等）そのものの拡大像に過ぎないとはいえ、使用者にとっては、覗き窓を介して一種の別世界を覗き見する快感がある。
【０００４】
ここにおいて、本発明者は、この種のスコープ装置において、もしも、表示物そのものの拡大像のみならず、表示物と関連のある様々な像が観察できれば、より一層、興趣に富むであうろとの着想を得た。
【０００５】
なお、ペン型スキャナでシステム手帳のスケジュール欄のドットパターン部を読み込んだとき、当該日付に対応する予定を文字データで、ペン型スキャナの側面に設けられた細長い液晶表示部に表示させることは、従来より知られている（特許文献１の段落０３１５参照）。
【先行技術文献】
【特許文献】
【０００６】
【特許文献１】特開２０１３−５０９６１公報
【発明の概要】
【発明が解決しようとする課題】
【０００７】
この発明は、上述の着想に基づいてなされたものであり、その目的とするところは、この種の大きめの覗き窓を有するスコープ装置において、覗き窓のほぼ真下に位置する表示物と関連のある様々な像を観察可能とすることにある。
【課題を解決するための手段】
【０００８】
上述の技術的課題は、以下の構成を有するスコープ装置により解決することができると考えられる。
すなわち、本発明のスコープ装置は、
覗き窓を形成する画像表示デバイスと、
対物光学系とイメージセンサとを含み、かつ近接する被写体表面から各位置又はその位置の表示物のそれぞれに対応するドットコードを所定単位数分だけ読み取り可能なスポット状視野を有するカメラユニットとを、前記画像表示デバイスの前面と前記カメラユニットの前面とが背中合わせとなるように近接配置してなり、さらに
前記カメラユニットで読み取られたドットコードに基づいて、前記画像表示デバイスにより形成される覗き窓の中心のほぼ真下に相当する前記被写体表面上の位置又はその位置の表示物を検出する真下検出部と、
前記被写体表面上の各位置又はその位置の表示物のそれぞれに対応して、所定の画像を予め記憶させた画像メモリと、
前記真下検出部により前記被写体表面上のいずれかの位置又はその位置の表示物が検出されたとき、前記画像メモリに記憶された前記位置又はその位置の表示物に対応する所定の画像を前記画像表示デバイスにより形成される覗き窓に表示する表示制御部とを有する。
【０００９】
このような構成によれば、被写体表面上の各表示物（文字や図形等）のそれぞれと、その表示物の位置（領域を含む）又はその位置の表示物に対応して画像メモリに記憶されるべき画像との間に、特定の関連付けをしておきさえすれば、被写体表面上の目的となる表示物の上に、前記覗き窓の中心位置が来るようにして、前記被写体の上に前記スコープ装置を重ねれば、前記画像表示デバイスにより形成される覗き窓には、目的となる表示物と何らかの関連を有する画像がひとりでに表れるから、恰も覗き窓を介して別世界を覗き込むかのような感覚で、目的となる表示物と関連のある様々な画像を覗き窓を通して観察可能となる。
【００１０】
このとき、前記画像表示デバイスは非透過型であっても、透過型であってもよい。非透過型の場合には、もともと、画像表示デバイスを介して被写体表面上の表示物を透視することはできないのであるから、前記カメラのスポット状視野の中心と前記画像表示デバイスにより形成される覗き窓の中心とはほぼ整合するように位置決めしてもよい。
【００１１】
このような構成によれば、前記真下検出部は、前記カメラユニットにて読み取られたドットコードに基づいて、前記スポット状視野の中心に相当する被写体表面上の位置又はその位置の表示物を、前記画像表示デバイスにより形成される覗き窓の中心のほぼ真下の位置又はその位置の表示物として直ちに検出することができる。
【００１２】
一方、透過型の場合には、前記カメラのスポット状視野の中心と前記画像表示デバイスの表示画面の中心とは所定の偏奇量だけ偏奇した状態にカメラユニットを位置決めしてもよい。
【００１３】
このような構成によれば、覗き窓を形成する画像表示デバイスを介して被写体表面上の表示物を透視することが可能となり、前記被写体表面上の目的とする表示物の上に当該スコープ装置を重ねるに際しては、目的とする表示物を目視確認しながら行うことが可能となる。このとき、前記真下検出部は、前記カメラユニットで読み取られたドットコードに基づいて、前記スポット状視野の中心から前記偏奇量だけ戻した位置又はその位置の表示物を、前記画像表示デバイスにより形成される覗き窓の中心のほぼ真下の位置又はその位置の表示物として検出するように構成すればよいであろう。
【００１４】
さらに、透過型の場合には、被写体表面と画像表示デバイスにより形成される覗き窓の中心との間にハーフミラーを介在させることにより、被写体表面から垂直上向きの光の一部を水平方向へと反射させる一方、その水平反射光の延長上にカメラユニットを配置してもよいであろう。
【００１５】
このような構成によっても、画像表示デバイスを介して被写体表面上の表示物を透視することが可能となり、前記被写体表面上の目的とする表示物の上に当該スコープ装置を重ねるに際しては、目的とする表示物を目視確認しながら行うことが可能となる。加えて、前記真下検出部は、前記カメラユニットにて読み取られたドットコードに基づいて、前記スポット状視野の中心に相当する被写体表面上の位置又はその位置の表示物を、前記画像表示デバイスにより形成される覗き窓の中心のほぼ真下の位置又はその位置の表示物として直ちに検出することが可能となる。
【００１６】
本発明の好ましい実施の態様においては、
前記画像メモリには、前記被写体表面上の各位置又はその位置の表示物のそれぞれに対応して、相異なる複数の画像が前記所定の画像として記憶されており、さらに
画像選択指令を生成する操作部と、
前記複数の画像のうちで、前記画像選択指令により特定される１つを、前記画像表示デバイスにより形成される覗き窓に表示されるべき画像として選択する画像選択部と、を有するものであってもよい。
【００１７】
このような構成によれば、前記被写体表面上の目的とする表示物の上に、前記画像表示デバイスにより形成される覗き窓のほぼ中心が位置する状態において、操作子の所定操作により画像選択指令を生成することにより、当該表示物に関連する複数の画像の1つを覗き窓に表示させることができる。
【００１８】
本発明の好ましい実施の態様においては、
前記画像メモリには、前記近接物体表面上の各位置又はその位置の表示物のそれぞれに対応して、２以上の階層のそれぞれ毎に、相異なる複数の画像が前記所定の画像として記憶されており、さらに
階層選択指令を生成する第１の操作部と、
画像選択指令を生成する第２の操作部と、
前記２以上の階層のそれぞれ毎に記憶された相異なる複数の画像のうちで、前記階層選択指令及び前記画像選択指令により特定される１つを、前記画像表示デバイスにより形成される覗き窓に表示されるべき画像として選択する画像選択部と、を有するものであってもよい。
【００１９】
このような構成によれば、前記被写体表面上の目的とする表示物の上に、前記画像表示デバイスにより形成される覗き窓のほぼ中心が位置する状態において、第1の操作部の所定操作により階層選択指令を生成し、かつ第２の操作部の所定操作により画像選択指令を生成することにより、２以上の階層から選ばれた１の階層内において、複数の画像の１つを覗き窓に表示させることができる。
【００２０】
このとき、前記２以上の階層のそれぞれ毎に記憶された相異なる複数の画像が、第１の階層の複数の画像と第２の階層の複数の画像とを少なくとも含み、
前記第１の階層の複数の画像が、特定の対象物に関するサイズが拡大又は縮小しつつ変化する様子（例えば、ズームアップ又はズームダウンする様子）を示す複数の画像であり、
前記第２の階層の複数の画像が、特定の対象物に関する時間経過と共に変化する様子（例えば、動物や昆虫の成長する過程）を示す複数の画像であってもよい。
【００２１】
このような構成によれば、前記被写体表面上の目的とする表示物の上に、前記画像表示デバイスのほぼ中心が位置する状態において、第1の操作部の所定操作により階層選択指令を生成して、第1の階層を選択した上で、第２の操作部の所定操作により画像選択指令を生成することにより、特定の対象物に関するサイズが拡大又は縮小しつつ変化する様子を示す複数の画像の1つを選択的に表示させることができる。
【００２２】
また、同様な状態において、第1の操作部の所定操作により階層選択指令を生成して、第２の階層を選択した上で、第２の操作部の所定操作により画像選択指令を生成することにより、特定の対象物に関する時間経過と共に変化する様子を示す複数の画像の1つを選択的に表示させることができる。
【００２３】
本発明の好ましい実施の態様においては、前記スポット状視野内における前記被写体の移動態様が、予め決められた特定の移動態様に該当するときには、所定の画像編集指令を生成する画像編集指令生成部をさらに有する、ものであってもよい。
【００２４】
このような構成によれば、任意の意味内容を有する画像編集指令を、上述のハードウェア的な操作部の数に制限されることなく、任意の数だけ、ソフトウェア的に生成させることができる。
【００２５】
このとき、前記特定の移動態様が、所定の周期範囲における横振れ移動態様であってもよいであろう。
【００２６】
このような構成によれば、当該スコープ装置を所定の周期範囲で横振れ操作することにより、任意の画像編集指令を生成することができる。
【００２７】
上述のスコープ装置は、具体的には、様々な機構により実現することができる。それらの一例としては、
底面中央には前記カメラユニットの撮影用窓が開口しかつ上部には前記画像表示デバイスが支持される台座状支持部材と、
前記台座状支持部材上にあって、前記台座状支持部材の垂直軸線の周りに回転可能に支持されると共に、その周囲にはベゼルが一体化され、さらに、上部には前記画像表示デバイスを保護する透明な表示カバーを兼ねる押しボタン部が上方付勢されつつ所定ストロークで上下動可能に設けられ、かつ下部にはそのスポット状視野を前記撮影用窓に整合させるようにして前記カメラが支持された可動支持部材とを有し、
前記押しボタン部が、その押し下げ操作に応答して前記階層選択指令を生成する第１の操作部に相当し、かつ
前記ベゼルが、その回転操作に応答して、前記画像選択指令を生成する第２の操作部に相当する、ものであってもよい。
【００２８】
このような構成によれば、被写体表面上の各表示物（文字や図形等）のそれぞれと、その表示物の位置又は領域に対応して画像メモリに記憶されるべき画像との間に、特定の関連付けをしておきさえすれば、被写体表面上の目的となる表示物の上に、前記表示窓の中心位置が来るようにして、前記被写体の上に前記スコープ装置を重ねれば、覗き窓に相当する表示画面上には、目的となる表示物と何らかの関連を有する画像がひとりでに表示されるから、恰も覗き窓を介して別世界を垣間見るかのような感覚で、目的となる表示物と関連のある様々な像を観察可能となる。そして、この状態において、前記押しボタン部を押し下げ動作すれば、前記階層選択指令が生成されて、画像メモリの特定階層が選択される一方、その状態において、前記ベゼルを時計回り又は反時計回りに回転操作すれば、画像選択指令が生成されて、当該階層における様々な画像の1つを選択して表示させることができる。
【００２９】
別の一面から見た本発明は、上述の種々のスコープ装置を利用した情報提供システムとして把握することもできる。すなわち、この情報提供システムは、
上述のスコープ装置の１つと、
その表面には、提供対象となる情報に対応する表示物に加えて、各位置又はその位置の表示物に対応するドットコードが描かれた情報提供シートとを包含し、
前記画像メモリには、
前記第１の階層に相当する複数の画像と、
前記第２の階層に相当する複数の画像とが、
前記各表示物に対応して記憶されている、ものであってもよい。
【００３０】
このような構成によれば、前記情報提供シート上の目的とする表示物の上に、前記画像表示デバイスにより形成される覗き窓のほぼ中心が位置する状態において、第1の操作部の所定操作により階層選択指令を生成し、かつ第２の操作部の所定操作により画像選択指令を生成することにより、２以上の階層から選ばれた１の階層内において、複数の画像の１つをスコープ装置の覗き窓を介して提供することができる。
【００３１】
本発明に係るスコープ装置を利用した別の情報提供システムは、
上述のスコープ装置と、
その表面には、世界地図情報に加えて、各位置又はその位置の表示物に対応するドットコードが描かれた地球儀と、
前記地球儀を構成する地図球体の全周面に沿って、前記スコープ装置が前記地図球体との近接状態を維持しながら、相対移動することを可能とする走査ガイド機構とを包含し、
前記画像メモリには、
前記第１の階層に相当する複数の画像と、
前記第２の階層に相当する複数の画像とが、
前記地図球体表面の各位置に対応して記憶されている、ものであってもよい。
【００３２】
このような構成によれば、前記走査ガイド機構を使って、スコープ装置を地図球体表面上の任意の点に位置決めすることにより、地球儀上の各地点に対応して、それと関連のある様々な画像をスコープ装置の覗き窓を介して提供することができる。
【００３３】
このとき、前記第１の階層に相当する複数の画像が、地図球体表面上の各地点を宇宙からズームアップ又はズームダウンしながら眺めたとき、拡大又は縮小しつつ変化する様子を示す複数の画像であってもよい。
【００３４】
このような構成によれば、前記走査ガイド機構を使って、スコープ装置を地図球体表面上の任意の点に位置決めし、前記第1の階層を選択した上で、当該第１の階層に格納された複数の画像の１つを選択することにより、各地点を宇宙からズームアップ又はズームダウンしながら眺めたとき、拡大又は縮小しつつ変化する様子を示す複数の画像の1つを覗き窓に表示させることができる。
【００３５】
このとき、前記第２の階層に相当する複数の画像が、地図球体表面上の各地点を宇宙から眺めたとき、少なくとも、昼間と夜間とで変化する様子を示す複数の画像であってもよい。
【００３６】
このような構成によれば、前記走査ガイド機構を使って、スコープ装置を地図球体表面上の任意の点に位置決めし、前記第２の階層を選択した上で、当該第２の階層に格納された複数の画像の１つを選択することにより、各地点を宇宙から眺めたとき、少なくとも、昼間と夜間とで変化する様子（例えば、夜景）を示す複数の画像の1つを覗き窓に表示させることができる。
【００３７】
このとき、前記第３の階層に相当する複数の画像が、地図球体表面上の各地点を宇宙から眺めたとき、少なくとも、現代と古代とでは生活が異なることを示す複数の画像であってもよい。
【００３８】
このような構成によれば、前記走査ガイド機構を使って、スコープ装置を地図球体表面上の任意の点に位置決めし、第３の階層を選択した上で、当該第３の階層に格納された複数の画像の１つを選択することにより、各地点を宇宙から眺めたとき、少なくとも、現代と古代とでは生活が異なることを示す複数の画像の1つを覗き窓に表示させることができる。
【００３９】
本発明に係るスコープ装置を利用した別の情報提供システムは、
上述のスコープ装置と、
ペーパークラフト完成品を構成する１又は２以上の部品片を切り抜き可能に配置してなり、かつ各部品片のそれぞれには、各部品に対応するドットコードが描かれた部品表示シートとを包含し、
前記画像メモリには、
完成品の内部を各部品位置からズームアップ又はズームダウンしながら覗いたとき、拡大又は縮小しつつ変化する実内部構造に相当する複数の画像が記憶されている、ものであってもよい。
【００４０】
このような構成によれば、スコープ装置をペーパークラフト完成品の各部品位置にあてがうことにより、各部品位置から完成品の実内部構造をズームアップ又はズームダウンしながら覗いたとき、拡大又は縮小しつつ変化する様子を示す複数の画像の1つを覗き窓に表示させることができる。
【発明の効果】
【００４１】
本発明によれば、被写体表面上の各表示物（文字や図形等）のそれぞれと、その表示物の位置（領域を含む）又はその位置の表示物に対応して画像メモリに記憶されるべき画像との間に、特定の関連付けをしておきさえすれば、被写体表面上の目的となる表示物の上に、前記覗き窓の中心が来るようにして、前記被写体の上に前記スコープ装置を重ねれば、覗き窓内には、目的となる表示物と何らかの関連を有する画像がひとりでに表示されるから、恰も覗き窓を介して別世界を覗き込むかのような感覚で、目的となる表示物と関連のある様々な像を観察可能となる。
【図面の簡単な説明】
【００４２】
【図１】図１は、本発明装置の基本構成を示す図である。
【図２】図２は、撮影対象となるコード区画の一例を示す図である。
【図３】図３は、電気的ハードウェア構成を示すブロック図である。
【図４】図４は、ルーチン処理を示すフローチャートである。
【図５】図５は、割り込み処理を示すフローチャートである。
【図６】図６は、本発明の一実施例の構成図である。
【図７】図７は、一実施例に係るスコープ装置の断面図である。
【図８】図８は、操作説明図である。
【図９】図９は、絵本への応用例（その１）である。
【図１０】図１０は、絵本への応用例（その２）である。
【図１１】図１１は、絵本への応用例（その３）である。
【図１２】図１２は、絵本への応用例（その４）である。
【図１３】図１３は、絵本への応用例（その５）である。
【図１４】図１４は、絵本への応用例（その６）である。
【図１５】図１５は、地球儀への応用例（その１）である。
【図１６】図１６は、地球儀への応用例（その２）である。
【図１７】図１７は、地球儀への応用例（その３）である。
【図１８】図１８は、地球儀への応用例（その４）である。
【図１９】図１９は、ペーパークラフトへの応用例である。
【発明を実施するための形態】
【００４３】
以下に、本発明に係るスコープ装置及び情報提供システムの好適な実施の一形態を添付図面を参照しながら詳細に説明する。
【００４４】
＜スコープ装置の基本構成＞
本発明に係るスコープ装置の基本構成例が、図１に示されている。同図に示されるように、スコープ装置１０は、覗き窓１ａを形成する画像表示デバイス１と、近接する被写体３の表面から各位置のそれぞれを表すドットコードを所定単位数分だけ読み取り可能なスポット状視野を有するカメラユニット２とを含んで構成される。
【００４５】
ここで、「覗き窓を形成する画像表示デバイス」とは、画像表示デバイスの有する矩形表示面の全面が覗き窓になるとは限らないことを意味している。勿論、画像表示デバイスの有する矩形表示面の全面を覗き窓とする場合もあるであろうが、画像表示デバイスの周囲を額縁状に遮光することで、例えば、中央部のより小さい矩形領域、円形領域、楕円形領域のみを覗き窓とすることもできるであろう。
【００４６】
カメラユニット２は、例えばＣＣＤやＣＭＯＳからなる二次元撮像素子で構成されるイメージセンサ２ａと被写体３の表面のスポット状視野からの光をイメージセンサ２ａの受光面に結像させるためのレンズ等の対物光学系２ｂとを含んで構成することができる。
【００４７】
なお、図２に示されるように、被写体表面（例えば、情報シートの表面）には、微細なコード区画Ｐ（ｍ，ｎ）が一面に定義されており、それらのコード区画のそれぞれには、固有のドットパターンからなるドットコードによって、その位置を示す固有アドレスが記録されている。本発明のカメラユニット２にあっては、それらのドットコードを所定単位数分（図では、縦横に配列された９単位分）を読み取り可能なスポット状視野を有する。ここで、相隣接する複数単位のドットコードを読み取るのは、後述するように、カメラユニット１と被写体３との相対移動や相対回転の方向を判定するためである。
【００４８】
画像表示デバイス１としては、例えば、液晶表示デバイスや有機ＥＬ表示デバイス等の所謂フラット・パネル・ディスプレイ（ＦＰＤ）を使用することができる。ＦＰＤには、透過型のものと非透過型のものとが存在するが、本装置への適用にあたっては、いずれの型であっても差し支えない。
【００４９】
画像表示デバイス１とカメラユニット２とは、同図（ａ）に示されるように、画像表示面（図中上面）とカメラ前面（図中下面）とが、背中合わせとなるように近接配置した状態で一体的に固定される。
【００５０】
図示例は、画像表示デバイス１として非透過型のものを採用した例である。この場合、画像表示デバイス１とカメラユニット２とは、覗き窓１ａの中心とカメラユニット２のスポット状視野の中心とが整合するように、位置決めして固定される。そのため、カメラユニット２のスポット状視野の中心から読み取られたドットコードの示す位置（基準位置）が、常に、覗き窓１ａの中心のほぼ真下の位置を示すこととなる。
【００５１】
画像表示デバイス１として透過型のものを採用する場合には、覗き窓１ａを形成する画像表示デバイス１を介して、被写体３の表面を透視することができる利点がある。そのためには、良好な視界を確保するために、覗き窓１ａの中心の真下からカメラユニット２を排除せねばならない。
【００５２】
そのための１つの方法としては、カメラユニット２の光軸の向きは垂直に維持したまま、カメラユニット２の全体を覗き窓１ａの真下から水平方向へ所定量Ｄ（Δｘ，Δｙ）だけ偏奇させることが考えられる。この場合、カメラユニット２のスポット状視野の中心から読み取られたドットコードの示す位置（基準位置）を、偏奇量Ｄ（Δｘ，Δｙ）だけ元に戻した位置が、常に、覗き窓１ａの中心のほぼ真下の位置を示すこととなる。
【００５３】
他の１つの方法としては、覗き窓１ａの中心とその真下の被写体３との間に角度４５度傾けてハーフミラーを配置することにより、被写体３から垂直上向きに向かう光の一部を水平方向へと反射させ、その反射光の延長線上に光軸の向きを水平としたカメラユニット２を配置するものである（例えば、特許文献１の図１４参照）。この場合、覗き窓１ａを形成する画像表示デバイス１及びハーフミラーを介して、被写体３の表面を透視することができる上、カメラユニット２のスポット状視野の中心から読み取られたドットコードの示す位置（基準位置）が、常に、覗き窓１ａの中心のほぼ真下の位置を示すこととなる。
【００５４】
本発明のスコープ装置１０には、以上に加えて、カメラユニット２で読み取られたドットコードに基づいて、画像表示デバイス１により形成される覗き窓１ａの中心のほぼ真下に相当する被写体３の表面上の位置を検出する位置検出部と、被写体３の表面上の各位置のそれぞれに対応して、所定の画像を予め記憶させた画像メモリと、位置検出部により前記近接物体表面上のいずれかの位置が検出されたとき、画像メモリに記憶された位置に対応する所定の画像を画像表示デバイスにより形成される覗き窓に表示する表示制御部とが含まれている。
【００５５】
それらの位置検出部、画像メモリ、及び表示制御部のソフトウェア構成については、後に、図３〜図５を参照しつつ詳細に説明する。
【００５６】
＜スコープ装置のより具体的な一実施例＞
次に、スコープ装置のより具体的な機構的構成の一実施例について、図６及び図７を参照して詳細に説明する。
【００５７】
図６及び図７に示されるように、このスコープ装置１０は、略円盤状の台座状支持部材１３と円環状の可動支持部材１４とを有する。
【００５８】
台座状支持部材１３は、その底面中央にはカメラユニット２の撮影用窓１３ａが開口しかつ上部には覗き窓１ａを形成する画像表示デバイス１が支持されている。すなわち、画像表示デバイス１と台座状支持部材１３とは、一体的に結合されている。
【００５９】
可動支持部材１４は、台座状支持部材１３上にあって、台座状支持部材１３の垂直中心軸線の周りに回転可能に支持されると共に、その周囲にはベゼル１２が一体化されている。さらに、可動支持部材１４の上部には、前記画像表示デバイス１を保護する透明な表示カバーを兼ねる押しボタン部１１が、所定ストロークで復帰バネ１５により上向き付勢されつつ上下動可能に支持されると共に、押ボタン部１１の下部にはそのスポット状視野を前記撮影用窓１３ａに整合させるようにして前記カメラユニット２が支持されている。そのため、ベゼル１２とカメラユニット２とは一体的に回転するが、ベゼル１２と画像表示デバイス１とが一体的に回転することはない。
【００６０】
そして、押しボタン部１１が、その押し下げ操作（クリック操作）に応答して前記階層選択指令を生成する第１の操作部に相当し、かつベゼル１２が、その回転操作に応答して、前記画像選択指令を生成する第２の操作部に相当する。
【００６１】
このスコープ装置１０の操作説明図が、図８に示されている。このスコープ装置１０によれば、後に詳述するように、ベゼル１２を時計回り又は反時計回りに回転操作することにより、例えば、覗き窓１ａに表示される画像を拡大又は縮小させたり、時間を進ませたり遅らせたりすることができる（同図（ａ）参照）。
【００６２】
また、後に詳述するように、押ボタン１１を押し下げ操作（クリック操作）して、階層選択指令を生成することにより、例えば、覗き窓１ａに表示されるべき画像に関して、選択や決定のほか、当該画像に対してノック操作（ダブルクリック操作）することが可能となる（同図（ｂ）参照）。
【００６３】
さらに、後に詳述するように、装置全体を左右に振る（横振り操作）ことにより、様々な編集指令を生成して、例えば、取り込んだものを混ぜる等の編集操作が可能となる（同図（ｃ）参照）。
【００６４】
＜スコープ装置の電気的ハードウェア構成＞
本発明に係るスコープ装置の電気的ハードウェア構成を示すブロック図が、図３に示されている。同図に示されるように、このスコープ装置１０は、ＣＰＵ４と、グラフィック・プロセッサ・ユニット（ＧＰＵ）５と、イメージセンサ６と、フラット・ディスプレイ・パネル（ＦＤＰ）７と、フラッシュＲＯＭ（ＦＲＯＭ）８と、操作スイッチ（操作ＳＷ）９とを含んで構成されている。
【００６５】
ＣＰＵ４は、装置全体を統括制御しながら所望の機能を実現するものであり、この例では、マイクロ・プロセッサ・ユニット（ＭＰＵ）４ａと、ＲＯＭ４ｂと、ＲＡＭ４ｃを含んで構成されている。ＭＰＵ４ａは、ＲＯＭ４ｂから必要なシステムプログラムを読み出すとともに、ＲＡＭ４ｃをワークエリアとして、これを実行することにより、スコープ装置として必要な様々な機能を実現する。
【００６６】
ＧＰＵ５は、画像処理専用のプロセッサであって、画像表示デバイス１（図１参照）を構成するＦＤＰ７に様々な画像（静止画、動画、ＣＧ、アニメーション等々）を表示するに際して、必要な画像処理を実行する。
【００６７】
イメージセンサ６は、カメラユニット２に組み込まれたイメージセンサ２ａ（図１参照）に相当するものであり、対物光学系２ｂを介して結像するスポット状視野からの光像を映像信号に変換して出力する。
【００６８】
ＦＤＰ７は、覗き窓１ａを形成する画像表示デバイス１（図１参照）を構成するものであり、液晶表示デバイスや有機ＥＬ表示デバイス等の表示デバイスにより構成することができる。
【００６９】
ＦＲＯＭ８は、書き換え可能な不揮発性メモリであって、好ましくは、アプリケーション毎に交換可能なＳＤカード８ａ（図６参照）にて構成することができる。このＦＲＯＭ８は、主として、各アプリケーション毎の画像格納エリアとして機能するほか、アプリケーション毎の専用プログラム格納エリアとしても機能する。
【００７０】
このＦＲＯＭ８は、後述する階層選択指令にて指定される複数の階層の記憶領域を有すると共に、各階層領域のそれぞれには、後述する画像選択指令にて指定される複数の画像領域が設けられている。この種の階層構造を有するメモリについては、当業者にはよく知られているように、物理的に複数のメモリ層を重ねて構成するものと、アドレス変換技術を利用して仮想的に階層構造を実現するものとが存在するが、本発明の目的からするとき、いずれを採用しても良い。
【００７１】
操作スイッチ９は、後述する押ボタンを押し下げ操作したときに、それを検出して階層選択指令を生成するもので、各種の接点式又は無接点式のマイクロスイッチで構成することができる。
【００７２】
＜スコープ装置のソフトウェア構成＞
本発明に係るスコープ装置のソフトウェア構成の一例を示すフローチャートが、図４及び図５に示されている。それらのソフトウェアは、図４に示されるルーチン処理と図５に示される割り込み処理とから構成されている。
【００７３】
図４に示されるように、ルーチン処理は、撮影処理（ステップ１０１）、デコード処理（ステップ１０２）、現在位置検出処理（ステップ１０３）、回転量判定処理（ステップ１０４）、及び表示処理（ステップ１０５）とを含んで構成されている。それら一連の処理（ステップ１０１〜１０５）は、一定時間毎（例えば、１／３０秒毎又は１／６０秒毎）にサイクリックに実行される。
【００７４】
図において、処理が開始されると、先ず、撮影処理（ステップ１０１）では、イメージセンサ６から取得される画像データ（所定単位数のドットコードを含む）を取り込んで、ＲＡＭ４ｃの所定エリアに格納する。
【００７５】
続く、デコード処理（ステップ１０２）では、ＲＡＭ４ａから画像データを読み出すと共に、所定のエンコード規則にしたがって、各ドットコードのそれぞれを、ＧＰＵ５を使用して解読することにより、カメラユニット２のスポット上視野に含まれる複数の位置情報のそれぞれを認識する。
【００７６】
続く、現在位置検出処理（ステップ１０３）では、カメラユニット２のスポット状視野の中心から読み出された位置情報に基づいて「基準位置」を認識する。その後、覗き窓１ａのほぼ真下に相当する被写体表面の位置を検出する。
【００７７】
覗き窓１ａの中心とカメラユニット２のスポット状視野の中心とを整合させてなるスコープ装置の場合（例えば、非透過型の画像表示デバイス使用の場合）、上述の「基準位置」をそのまま、覗き窓１ａのほぼ真下に相当する被写体表面の位置として検出すればよい。
【００７８】
覗き窓１ａの中心とカメラユニット２のスポット状視野の中心とを偏奇量Ｄ（Δｘ，Δｙ）だけ偏奇させてなるスコープ装置の場合（例えば、透過型の画像表示デバイス使用の場合）、上述の「基準位置」を偏奇量Ｄ（Δｘ，Δｙ）だけ元へ戻した位置を、覗き窓１ａのほぼ真下に相当する被写体表面の位置として検出すればよい。
【００７９】
続く、回転量判定処理（ステップ１０４）では、過去に取得して保存された一連のＮ撮影回数分の画像データのそれぞれに含まれる複数のドットコードのそれぞれに着目して、それらのスポット状視野内における移動態様に基づいて、スコープ装置１０のカメラユニット２と被写体３との相対移動の態様を判定する。
【００８０】
すなわち、相前後する画像データに含まれる複数個のドットコードを比較した結果、複数のドットコードのそれぞれが全て一定の方向へと直線的に平行移動していると認められる場合には、スコープ装置１０のカメラユニット２は、被写体３の表面を一定方向へと直線的にスライド移動しているものと判定することができる。
【００８１】
これに対して、相前後する画像データに含まれる複数個のドットコードを比較した結果、中心のコード区画Ｐ（ｍ，ｎ）に位置するドットコードは静止しているものの、その周囲のコード区画に位置するドットコードが中心のコード区画Ｐ（ｍ，ｎ）の周りに時計回り又は反時計回りに回転していると認められる場合には、スコープ装置１０のカメラユニット２は、被写体３に対して、時計回り又は反時計回りに回転移動しているものと判定するきとができる。
【００８２】
続く、表示処理（ステップ１０５）では、ステップ１０３の処理で検出された現在位置に基づいて所定のアドレス変換テーブルを参照し、当該現在位置に何らかの表示物が存在する場合には、その表示物と関連のある画像が格納された画像メモリ（ＦＲＯＭ８）のメモリアドレスを求めて、当該メモリアドレスの第１階層領域から該当する複数の画像のうちで予め決められた１つを読み出して、画像表示デバイス１により形成される覗き窓１ａに表示させる。このとき、ステップ１０４の処理において、「回転移動」と判定される場合には、その移動量を複数のしきい値に照らして弁別することにより、画像選択指令を生成する。その画像選択指令により、前記複数の画像のうち指定された特定の画像が、画像表示デバイス１により形成される覗き窓１ａに表示される。
【００８３】
したがって、例えば、現在位置に対応する画像メモリ（ＦＲＯＭ８）のメモリアドレスの第1の階層に、サイズの異なる複数の画像を順に格納しておいて、カメラユニット２と被写体３とを相対的に回転（後述するベゼルの回転操作に相当）させれば、その回転量に応じたサイズの画像を画像メモリから読み出して、覗き窓１ａに表示させることができるのである。
【００８４】
次に、図５のフローチャートを参照して、割り込み処理について説明する。この割り込み処理は、別途生成される階層選択指令に応答して起動される。階層選択指令の生成方法としては、種々のやり方が考えられる。この例では、後述する押しボタン１１（図６参照）の押し下げ動作（クリック動作）に連動して操作スイッチ９が動作するのに応答して、階層選択指令が生成されるようにしている。
【００８５】
図５において、処理が開始されると、先ず、オプション画像取得処理（ステップ２０１）では、画像取得先を第１の階層（例えば、サイズの異なる複数の画像を格納）から第２の階層（例えば、時間的経過の異なる複数の画像を格納）へと切り替える処理が実行される。
【００８６】
続く、回転量判定処理（ステップ２０２）では、過去に取得して保存された一連のＮ個の画像データのそれぞれに含まれる複数のドットコードのそれぞれに着目して、相前後する画像データに含まれる複数個のドットコードを比較した結果、中心のコード区画Ｐ（ｍ，ｎ）に位置するドットコードは静止しているものの、その周囲のコード区画に位置するドットコードが中心のコード区画Ｐ（ｍ，ｎ）の周りに時計回り又は反時計回りに回転していると認められる場合には、スコープ装置１０のカメラユニット２は、被写体３に対して、時計回り又は反時計回りに回転移動しているものと判定する
【００８７】
続く、移動判定処理（ステップ２０３）では、過去に取得して保存された一連のＮ個の画像データのそれぞれに含まれる複数のドットコードのそれぞれに着目して、それらのスポット状視野内における移動態様に基づいて、スコープ装置１０のカメラユニット２と被写体３との相対移動の態様を判定する。すなわち、相前後する画像データに含まれる複数個のドットコードを比較した結果、複数のドットコードのそれぞれが全て一定の方向へと直線的に平行移動していると認められる場合には、スコープ装置１０のカメラユニット２は、被写体３の表面を一定方向へと直線的にスライド移動しているものと判定することができる。
【００８８】
続く、横揺れ判定処理（ステップ２０４）では、過去に取得して保存された一連のＮ個の画像データのそれぞれに含まれる複数のドットコードのそれぞれに着目して、それらのスポット状視野内における移動態様に基づいて、スコープ装置１０のカメラユニット２と被写体３との相対移動の態様を判定する。すなわち、相前後する画像データに含まれる複数個のドットコードを比較した結果、複数のドットコードのそれぞれが全てほぼ一定の方向へと直線的に往復平行移動を所定周期範囲で繰り返していると認められる場合には、スコープ装置１０のカメラユニット２は、被写体３の表面を一定方向へと直線的に往復スライド移動（横揺れ運動）しているものと判定することができる。
【００８９】
続く、表示処理（ステップ２０５）では、ステップ１０３の処理で検出された現在位置に基づいて所定のアドレス変換テーブルを参照し、当該現在位置に何らかの表示物が存在する場合には、その表示物と関連のある画像が格納された画像メモリ（ＦＲＯＭ８）のメモリアドレスを求めて、当該メモリアドレスの第２階層領域（例えば、時間的経過の異なる複数の画像を格納）から該当する複数の画像のうちで予め決められた１つを読み出して、画像表示デバイス１により形成される覗き窓１ａに表示させる。
【００９０】
このとき、ステップ２０２の処理において、「回転移動」と判定される場合には、その回転量を複数のしきい値に照らして弁別することにより、画像選択指令を生成する。その画像選択指令により、前記複数の画像（例えば、時間的経過の異なる複数の画像）のうち指定された特定の画像が、画像表示デバイス１により形成される覗き窓１ａに表示される。
【００９１】
したがって、例えば、現在位置に対応する画像メモリ（ＦＲＯＭ８）のメモリアドレスの第２の階層に、時間的経過の異なる複数の画像（例えば、蝶の卵画像、蝶の生まれたて幼虫画像、蝶の何回か脱皮後の幼虫画像、蝶のさなぎ画像、蝶の成虫画像）を格納しておいて、カメラユニット２と被写体３とを相対的に回転させれば、その回転量に応じた成長過程にある蝶の画像を画像メモリから読み出して、覗き窓１ａに表示させることができるのである。
【００９２】
また、ステップ２０３の処理において、「平行移動」と判定される場合には、所定の画像編集指令を生成して、覗き窓１ａに表示されている当該画像に対して所定の編集処理を実行する。この編集処理としては、例えば、覗き窓１ａにＣＧキャラクタが表示されているような場合、そのキャラクタにアニメーション編集を加えて二足歩行映像を生成すると共に、その進行方向と平行移動の方向とを整合させることで、覗き窓１ａを一定の方向へとスライド移動させた場合、その移動方向に姿勢を向けて、ＣＧキャラクタが歩いて行くような映像を生成することができる。
【００９３】
さらに、ステップ２０４の処理において、「横揺れ移動」と判定される場合には、所定の画像編集指令を生成することにより、後に詳述するように、被写体表面上に散在する複数の表示物のそれぞれに対応して、画像メモリから読み出された複数の画像の組み合わせに対応して、それらを混合してなる生成物の画像を表示すると言った複雑な編集処理を行い、その編集結果たる画像を覗き窓１ａに表示することできる。
【００９４】
＜スコープ装置利用の情報提供システムの絵本への応用例＞
次に、図６〜図８に示される機構、図３に示される電気的ハードウェア構成、及び図４並びに図５に示されるソフトウェア構成を有するスコープ装置１０を含む情報提供システムの絵本への応用例について、図９〜図１４を参照して説明する。
【００９５】
絵本への応用例（その１）が、図９に示されている。同図には、本発明システムのもっとも基本的な作用が示されている。見開き状態にある絵本１６の左右の頁紙葉１６ａ，１６ｂの表面には、草原を示す背景画像１８のほかに、提供情報に関連する表示物である樹木図形１９ａや犬の図形１９ｂが印刷されている。また、これら左右の頁紙葉１６ａ，１６ｂの表面には、微細なコード区画Ｐ（ｍ，ｎ）が縦横に定義され、それぞれのコード区画には固有のドットパターンを有するドットコードが記録されている（図２参照）。
【００９６】
スコープ装置１０をそれらの表示物（この例では、ウサギの図形）の上に重ねると、表示窓１ａのほぼ真下に位置するウサギ図形の上に描かれたドットコードがカメラユニット２により読み取られ、当該ドットコードの示す位置情報は、所定のアドレス変換テーブルを介して、当該ウサギ図形に関連する画像を記憶する画像メモリ（ＦＲＯＭ８）のメモリアドレスに変換される。このメモリアドレスにより、画像メモリ（ＦＲＯＭ８）から対応する画像が読み出されて画像表示デバイス１に表示される。その結果、画像表示デバイス１により形成される覗き窓１ａ内には、表示物であるウサギの図形に関連するウサギの画像Ｇ１１が表示される。同様にして、スコープ装置１０を表示物である樹木の図形１９ａ，犬の図形１９ｂの上に重ねれば、それらの表示物にそれぞれ相当する画像が画像メモリから読み出されて、覗き窓１ａ内に表示されることとなる。
【００９７】
絵本への応用例（その２）が、図１０に示されている。同図において、情報提供シート１６ｃの表面は縦横に４分割され、各分割領域のそれぞれには、背景図形としての動物を囲い込むための檻の図形が描かれている。さらに、それらの檻の図形の内部には、提供情報に関連する表示物であるライオンの図形２３ａ、象の図形２３ｂ、パンダの図形２３ｃ−１、２３ｃ−２及びキリンの図形２３ｄが描かれている。
【００９８】
スコープ装置１０をそれらの表示物（この例では、ライオンの図形２３ａ）の上に重ねると、表示窓１ａのほぼ真下に位置するライオンの図形２３ａの上に描かれたドットコードがカメラユニット２により読み取られ、当該ドットコードの示す位置情報は、所定のアドレス変換テーブルを介して、当該ライオンの図形２３ａに関連する画像を記憶する画像メモリ（ＦＲＯＭ８）のメモリアドレスに変換される。この例にあっては、当該メモリアドレスで特定される第１階層における一連のメモリ領域には、サイズの異なるライオン図形が複数個だけ格納されている。このメモリアドレスにより、画像メモリ（ＦＲＯＭ８）からは、それら複数の画像のうちの基準となる１つの画像が読み出されて画像表示デバイス１に表示される。
【００９９】
この状態において、スコープ装置１０のベゼル１２が反時計回りに回転操作されると、覗き窓１ａに表示された基準となるサイズのライオン画像は、左下の図に示されるように、拡大表示されるのに対して、同ベゼル１２が時計回りに回転操作されると、覗き窓１ａに表示された基準となるサイズのライオン画像は、右下の図に示されるように、縮小表示される。同様にして、スコープ装置１０を表示物である象の図形２３ｂ，パンダの図形２３ｃ、キリンの図形２３ｄの上に重ねれば、それらの表示物にそれぞれ相当する画像が画像メモリから基準サイズで読み出されると共に、ベゼル１２２の回転操作に応じて、覗き窓１ａ内に拡大又は縮小表示されることとなる。
【０１００】
絵本への応用例（その３）が、図１１に示されている。同図において、スコープ装置１０をそれらの表示物（この例では、ライオンの図形２３ａ）の上に重ね、その状態において、押ボタン１１が押し下げ操作（クリック操作）されると、表示窓１ａのほぼ真下に位置するライオンの図形２３ａの上に描かれたドットコードがカメラユニット２により読み取られ、当該ドットコードの示す位置情報は、所定のアドレス変換テーブルを介して、当該ライオンの図形２３ａに関連する画像を記憶する画像メモリ（ＦＲＯＭ８）のメモリアドレスに変換される。この例にあっては、当該メモリアドレスで特定される第２階層における一連のメモリ領域には、成長時期の異なるライオン図形が複数個だけ格納されている。このメモリアドレスにより、画像メモリ（ＦＲＯＭ８）の第２階層からは、それら複数の画像のうちの基準となる１つの画像（例えば、基準となる成長時期のライオン画像）が読み出されて画像表示デバイス１に表示される。
【０１０１】
この状態において、スコープ装置１０のベゼル１２が反時計回りに回転操作されると、覗き窓１ａに表示された基準となる成長時期のライオン画像は、左下の図に示されるように、より年齢の老いたライオン画像に変化するのに対して、同ベゼル１２が時計回りに回転操作されると、覗き窓１ａに表示された基準となる成長時期のライオン画像は、右下の図に示されるように、より年齢の若返ったライオン画像に変化する。同様にして、スコープ装置１０を表示物である象の図形２３ｂ，パンダの図形２３ｃ、キリンの図形２３ｄの上に重ね、その状態において、押ボタン１１が押し下げ操作（クリック操作）されると、それらの表示物にそれぞれ相当する画像が画像メモリの第２階層から基準サイズで読み出されると共に、ベゼル１２の回転操作に応じて、覗き窓１ａ内に年齢が老いたり、若返ったりして表示されることとなる。
【０１０２】
絵本への応用例（その４）が、図１２に示されている。この例にあっては、情報提供シート上には、提供情報に関連する表示物であるリンゴの樹木の図形２４ａのほか、図示しないが、袋入りの小麦粉の図形、瓶入りの蜂蜜の図形が描かれている。
【０１０３】
スコープ装置１０をリンゴの木の図形２４ａの上に重ねると、先に説明した経過を経て、覗き窓１ａには、リンゴの木の画像Ｇ４０が表示される。この状態において、スコープ装置１０の全体を左右に振ると、所定の編集指令が生成されて、当該リンゴの木の画像と関連付けて登録しておいたリンゴの画像Ｇ４１が画像メモリ（ＦＲＯＭ８）から読み出されて覗き窓１ａに併せて表示されると共に、当該リンゴの図形Ｇ４１は一時記憶領域に保持される。このような横振り操作によれば、遊技者は恰もリンゴの木を揺らして落下させるが如き感覚で果実としてのリンゴを手に入れることができる。
【０１０４】
続いて、遊技者は、袋入り小麦粉の図形、瓶入りの蜂蜜の図形の上にスコープ装置１０をスライド移動して順次に重ねた状態にて押ボタン１１を押し下げ操作することにより、同様にして、袋入り小麦粉の画像Ｇ４２及び瓶入り蜂蜜の画像Ｇ４３を覗き窓１ａ内に一緒に表示させると共に、それらを一時記憶エリアに保持する。
【０１０５】
しかるのち、さらに、横振り操作を行うと、所定の画像編集指令が生成されて、覗き窓１ａの表示内容は、リンゴの画像Ｇ４１、袋入り小麦粉の画像Ｇ４２、瓶入り蜂蜜の画像Ｇ４３の三者から、それらを原料として作られるアップルパイの画像Ｇ４４に変化することとなる。
【０１０６】
絵本への応用例（その５）が、図１３に示されている。この例にあっては、情報提供シート上には、提供情報に関連する表示物として、童話の赤ずきんちゃんの家に相当する図形２５ａが描かれている。当初、この家の図形２５ａにあっては、入り口の扉は閉じられた状態にある（同図（ａ）参照）。この状態において、スコープ装置１０を家の図形２５ａの入り口扉の上に重ね、押ボタン１１を軽く２回押し下げ操作（扉のノックに相当するダブルクリック操作）すると、当該扉位置に対応して記録されたドットコードの内容（位置情報）基づいて、画像メモリ（ＦＲＯＭ８）から入り口扉を開けて赤ずきんちゃんが出てきた画像Ｇ５１が読み出され、覗き窓１ａ内に表示される（同図（ｂ）参照）。こうして呼び出された赤ずきんちゃん画像Ｇ５１は、その後、保持された状態に維持される。
【０１０７】
絵本への応用例（その６）が、図１４に示されている。この例にあっては、矢印Ａ１に示されるように、道に沿って赤ずきんちゃんの家の図形２５ａからスコープ装置１０をスライド移動させると、先ほどと同様にして平行移動と判定されて、所定の画像編集指令が生成され、これを受けて、覗き窓１ａ内に表示された赤ずきん画像に対して、アニメーション編集が行われ、覗き窓１ａ内に表示された赤ずきんちゃんは、スライド方向に向かって二足歩行運動することとなる。この二足歩行運動状態は、その後も継続し、矢印Ａ２，Ａ３，Ａ４に示されるように、スコープ装置１０をスライド移動させると、それぞれの移動先において、ドットコードの示す位置情報に基づいて、画像メモリから対応する画像が読み出されると共に、適宜にアニメーション編集が行われることにより、野原で蝶蝶を追ったり、野原で草花を摘んだり、さらには、オオカミおばさんと会ったりと言った風に、赤ずきんちゃんの童話に沿って、覗き窓１ａ内で映像ストーリーが進行する。
【０１０８】
＜スコープ装置利用の情報提供システムの地球儀への応用例＞
スコープ装置利用の情報提供システムの地球儀への応用例（その１）が、図１５に示されている。この情報提供システムは、スコープ装置１０と地球儀２０とから構成されている。地球儀２０は、その表面に、世界地図情報に加えて、各位置に対応するドットコードが描かれた地図球体２０ｄを有する。地図球体２０ｄは、走査ガイド機構を介して台座２０ａに取り付けられ、スコープ装置１０は、そのカメラユニット２が、地図球体２０ｄと近接して対面するようにして、台座２０ａから延びる弧状支持部材２０ｂの先端に取り付けられている。走査ガイド機構は、地図球体２０ｄの全周面に沿って、スコープ装置１０が地図球体２０ｄとの近接状態を維持しながら、相対移動することを可能とするもので、傾斜軸２０ｅ，２０ｆを介して地図球体２０ｄを回転自在に支持するリング状支持部材２０ｉと、水平軸２０ｇ，２０ｈを介してリング状支持部材２０ｉを回転自在に支持する弧状支持部材２０ｃとを含んで構成されている。
【０１０９】
スコープ装置１０は、先に、図３〜図７を参照して説明したもので、第1の操作部に相当するベゼル１２と、第２の操作部に相当する押ボタン１１と、地図球体２０ｄの表面にスポット状視野を有するカメラユニット２と、地図球体２０ｄの表面から読み取られたドットコードを介して検出される現在位置に対応する画像を１又は２以上格納した画像メモリ（ＦＲＯＭ８）備えていることは、先に説明した通りである。
【０１１０】
地球儀への応用例（その２）が、図１６に示されている。この例にあっては、地図球体２０ｄの表面のうちで、比較的に関心の高い地域にあっては、各地域のそれぞれ毎に、その地域を宇宙から眺めたときの映像に相当する縮尺率の異なる複数の地図画像が画像メモリ（ＦＲＯＭ８）の第1の階層に格納されている。そのため、そのような地域の1つ（図では、日本列島の東京地域）にスコープ装置１０を位置合わせすると、それらの地図画像の1つ（例えば、最も上空から眺めた東京地区の地図画像）が画像メモリから読み出され、画像表示デバイス１により形成される覗き窓１ａ内に表示される（同図（ａ）参照）。
【０１１１】
この状態において、スコープ装置１０をその位置に固定したまま、ベゼル１２が反時計回りに回転されると、回転量に応じて、より拡大された地図画像が画像メモリの第1の階層から順次に読み出され、覗き窓１ａ内に表示される（同図（ｂ），同図（ｃ）参照）。さらに、ベゼル１２の回転を続けると、最後に、個々の建物まで識別可能な程度まで拡大された地図画像が画像メモリから読み出されて、覗き窓１ａ内に表示される（同図（ｄ）参照）。
【０１１２】
地球儀への応用例（その３）が、図１７に示されている。この例にあっては、地図球体２０ｄの表面のうちで、比較的に関心の高い地域にあっては、各地域のそれぞれ毎に、その地域を宇宙から眺めたときの映像に相当する撮影時間帯の異なる複数の地図画像が画像メモリ（ＦＲＯＭ８）の第1の階層に格納されている。そのため、そのような地域の1つ（図では、日本列島）にスコープ装置１０を位置合わせすると、それらの地図画像の1つ（例えば、日本列島を昼間時間帯に眺めた地図画像）が画像メモリから読み出され、画像表示デバイス１により形成される覗き窓１ａ内に表示される（同図（ａ）参照）。
【０１１３】
この状態において、さらに、ベゼル１２の回転を続けると、最後に、それらの地図画像の他の1つ（例えば、日本列島を夜間時間帯に眺めた地図画像）が画像メモリの第1の階層から読み出され、画像表示デバイス１により形成される覗き窓１ａ内に日本列島の夜景が表示されることとなる（同図（ｂ）参照）。
【０１１４】
地球儀への応用例（その３）が、図１８に示されている。この例にあっては、地図球体２０ｄの表面のうちで、比較的に関心の高い地域にあっては、各地域のそれぞれ毎に、その地域の代表的な景観を時代を異ならせて眺めた映像に相当する複数の画像が画像メモリ（ＦＲＯＭ８）の第２の階層に格納されている。そのため、そのような地域の1つ（図では、エジプト）にスコープ装置１０を位置合わせすると、それらの景観画像の1つ（例えば、現在のピラミッドの景観画像）が画像メモリから読み出され、画像表示デバイス１により形成される覗き窓１ａ内に表示される（同図（ａ）参照）。
【０１１５】
この状態において、ベゼル１２を反時計周りに回転させると、時代は過去に遡り、それらの景観画像の他の1つ（例えば、古代エジプトにおけるピラミッド建造中の景観画像）が画像メモリの第２の階層から読み出され、画像表示デバイス１により形成される覗き窓１ａ内に日本列島の夜景が表示されることとなる（同図（ｂ）参照）。
【０１１６】
＜スコープ装置利用の情報提供システムのペーパークラフトへの応用例＞
ペーパークラフトへの応用例が、図１９に示されている。同図において、部品表示シート２１には、ペーパークラフト完成品（この例では、セダンタイプの乗用車）２２を構成する複数の部品片２１ａのそれぞれが切り抜き可能に表示されており、これらの部品片２１ａのそれぞれには、その部品片２１ａそれ自体を示す又はその部品片２１ａの上における各絶対位置を示す、固有のドットコードが表示されている。一方、スコープ装置１０を構成する画像メモリ（ＦＲＯＭ８）の第１の階層には、各ドットコートの示す位置又は領域に対応付けて、その位置又は領域から完成品２２の内部を透視したときに得られるであろう内部構造画像がサイズを異ならせて複数個にわたり格納されている。
【０１１７】
以上の構成において、完成品２２のいずれかの部品片位置にスコープ装置１０をあてがうと、その位置又は領域から読み取られたドットコードの内容に基づいて、所定のアドレス換算テーブルを参照することにより、画像メモリ（ＦＲＯＭ８）の第１階層の該当領域がアクセスされ、その領域に格納された複数の内部構造画像の１つ（例えば、拡大率最小の画像）が読み出され、画像表示デバイス１により形成される覗き窓１ａ内に表示される（図中左上の画像参照）。この状態において、ベゼル１２が時計回り又は反時計回れに回転操作されると、画像選択指令が生成されて、画像メモリに格納されたその他の画像が順次に拡大率を増加させつつ読み出され、覗き窓１ａに表示される（図中右上の画像参照）。
【０１１８】
したがって、この例によれば、ペーパークラフトの完成品２２の任意の位置にスコープ装置１０をあてがうことにより、当該完成品が恰も実車であるかのように、その内部を任意の拡大率にて覗き込むことが可能となる。
【０１１９】
＜その他＞
以上の実施形態においては、被写体の表面に表示される各ドットコードはその表示位置又は領域を直接に示すものとしたが、より簡易的な装置を意図するのであれば、その表示位置に表示された表示物（例えば、ライオン、象、キリン、パンダ、等々）そのものを示すものであっても差し支えない。その場合には、予め各表示物に対応して該当するメモリ領域に、その表示物に対応する画像を格納しておけばよいであろう。その場合、画像メモリに格納される画像は、被写体上の各位置に対応するのではなく、被写体上の各位置に表示された表示物に対応するものとなる。
【０１２０】
また、以上の実施形態においては、ベゼルの回転や回転量を判断するための手法として、ベゼルとカメラユニットとを一体的に回転さる一方、それに伴う撮影画像の回転や回転量をソフトウェア的に検知すると言う手法を採用したが、勿論、インクリメンタル式又はアブソリュート式のロータリエンコーダを別途設けることにより、ベゼル自体の回転や回転量をハードウェア的に検知するものであってもよいであろう。
【０１２１】
さらに、以上の実施形態においては、内部を透視可能なペーパークラフト完成品として乗用車を例に挙げたが、その他、鉄道の列車、航空機等々の各種の機械装置、住宅やオフィス等の建築物にも広く応用可能である。このとき、部品表示シート上の各部品のそれぞれに表示されるドットコードの意味内容については、その部品そのものを示すドットコード、完成品上におけるその部品の位置に相当するドットコード、部品上の各位置に対応するドットコードと言ったように、目的とする画像表示態様に応じて適宜に選択すればよいであろう。
【産業上の利用可能性】
【０１２２】
本発明によれば、被写体表面上の各表示物（文字や図形等）のそれぞれと、その表示物の位置又は領域に対応して画像メモリに記憶されるべき画像との間に、特定の関連付けをしておきさえすれば、被写体表面上の目的となる表示物の上に、前記覗き窓の中心が来るようにして、被写体の上にスコープ装置を重ねれば、覗き窓内には、目的となる表示物と何らかの関連を有する画像がひとりでに表示されるから、恰も覗き窓を介して別世界を覗き込むかのような感覚で、目的となる表示物と関連のある様々な画像像を観察可能となる。
【符号の説明】
【０１２３】
１        画像表示デバイス
１ａ      覗き窓
２        カメラユニット
２ａ      イメージセンサ
２ｂ      対物光学系
３        被写体
４        ＣＰＵ
４ａ      ＭＰＵ
４ｂ      ＲＯＭ
４ｃ      ＲＡＭ
５        ＧＰＵ
６        イメージセンサ
７        ＦＤＰ
８        ＦＲＯＭ
９        操作スイッチ
１０        スコープ装置
１１        押ボタン
１２        ベゼル
１３        台座状支持部材
１４        ＳＤカード
１５        復帰バネ
１６        絵本
１６ａ      左ページ
１６ｂ      右ページ
１６ｃ      図柄シート
１７        手
１８        背景画
１９ａ      表示物
１９ｂ      表示物
２０        地球儀
２０ａ      台座
２０ｂ      第１円弧状アーム
２０ｃ      第２円弧状アーム
２０ｄ      地図球体
２０ｅ，２０ｆ      第１軸
２０ｇ，２０ｈ      第２軸
２１        部品表示シート
２１ａ      部品片
２２        完成品
２３ａ，２３ｂ，２３ｃ−１，２３ｃ−２，２３ｄ        表示物
２４ａ      表示物
Ｇ１１      画像
Ｇ２０，Ｇ２１，Ｇ２２      画像
Ｇ３１，Ｇ３２      画像
Ｇ４１，Ｇ４２，Ｇ４３，Ｇ４４      画像
Ｇ５１      画像
【図１】
2019041995.tif 000003
【図２】
2019041995.tif 000004
【図３】
2019041995.tif 000005
【図４】
2019041995.tif 000006
【図５】
2019041995.tif 000007
【図６】
2019041995.tif 000008
【図７】
2019041995.tif 000009
【図８】
2019041995.tif 000010
【図９】
2019041995.tif 000011
【図１０】
2019041995.tif 000012
【図１１】
2019041995.tif 000013
【図１２】
2019041995.tif 000014
【図１３】
2019041995.tif 000015
【図１４】
2019041995.tif 000016
【図１５】
2019041995.tif 000017
【図１６】
2019041995.tif 000018
【図１７】
2019041995.tif 000019
【図１８】
2019041995.tif 000020
【図１９】
2019041995.tif 000021